(57)【要約】【課題】脊柱の左右両側部位の各側体表面温度から脊椎動物の健康状態を判断し、病気やけがを予防すること。【解決手段】計測手段６と制御手段７と表示手段８とを備え、計測手段６は、非接触型の左側温度計測部１７・右側温度計測部１８と、計測開始信号及び計測終了信号を出力する計測指示部１９と、計測位置を明示する計測位置明示部２０と、を有し、制御手段７は、計測作業の手順を処理する計測作業処理部３３と、左側体表面温度Ｔｌ・右側体表面温度Ｔｒを比較して温度差ＴΔを算出する温度差算出部３４と、温度差位置情報Ｉｔを生成する温度差位置情報生成部３５と、温度差位置情報Ｉｔに基づいて、温度差ＴΔを、各椎骨と対応する位置であって、脊柱１１の左右方向中心に対して左側体表面温度Ｔｌ・右側体表面温度Ｔｒの高い側に温度差ＴΔの大きさに応じて離れる線で表示手段８に表示させる表示指令部３７とを有する。【選択図】図１
2019054741.tif 000002
【特許請求の範囲】
【請求項１】
脊椎動物の体表面温度を計測する計測手段と、前記計測手段が行う計測作業の手順及び計測した体表面温度を処理する制御手段と、前記制御手段が処理した計測作業の手順及び体表面温度を表示する表示手段と、を備え、
前記計測手段は、前記脊椎動物の脊柱の右側体表面温度・左側体表面温度を計測するように配置された非接触型の左側温度計測部・右側温度計測部と、前記左側温度計測部・右側温度計測部による左側体表面温度・右側体表面温度の計測開始及び計測終了をそれぞれ指示する計測開始信号及び計測終了信号を出力する計測指示部と、前記左側温度計測部・右側温度計測部の中間位置に配置され、前記脊柱に指示光を照射して前記左側温度計測部・右側温度計測部の計測位置を明示する計測位置明示部と、を有し、
前記制御手段は、前記左側温度計測部・右側温度計測部により前記脊柱の左側体表面温度・右側体表面温度を計測する場合に、前記脊柱を頸椎、胸椎、腰椎、仙椎毎に分けた各計測部分において前記計測指示部の出力する計測開始信号及び計測終了信号に基づき前記左側温度計測部・右側温度計測部が行う計測作業の手順を処理する計測作業処理部と、前記脊柱の各計測部分において前記計測位置明示部を前記脊柱の左右方向中心に向けて指示光を照射しながら前記脊柱の延びる方向に移動させる間に前記左側温度計測部・右側温度計測部が計測した前記脊柱の左側体表面温度・右側体表面温度を比較して温度差を算出する温度差算出部と、前記温度差算出部が算出した温度差を前記脊柱の各計測部分に存する各椎骨と関連付けた温度差位置情報を生成する温度差位置情報生成部と、前記温度差位置情報生成部が生成した温度差位置情報に基づいて、前記温度差算出部が算出した温度差を、前記脊柱の各計測部分に存する各椎骨と対応する位置であって、前記脊柱の左右方向中心に対して左側体表面温度・右側体表面温度の高い側に温度差の大きさに応じて離れる線で前記表示手段に表示させる表示指令部と、を有することを特長とする脊椎動物の健康状態検出制御装置。
【請求項２】
前記制御手段は、前記脊柱の各計測部分の全てにおいて前記左側温度計測部・右側温度計測部が計測した前記脊柱の左側体表面温度・右側体表面温度を計測日時と関連付けた計測履歴情報を生成する計測履歴情報生成部を有し、
前記表示指令部は、前記計測履歴情報生成部が生成した計測履歴情報に基づいて、前記左側温度計測部・右側温度計測部の計測した前記脊柱の左側体表面温度・右側体表面温度の計測日時毎の複数の計測結果を並べて前記表示手段に表示させることを特長とする請求項１に記載の脊椎動物の健康状態検出制御装置。
【請求項３】
前記計測作業処理部は、前記左側温度計測部・右側温度計測部により前記脊柱の左側体表面温度・右側体表面温度を計測する場合に、前記脊柱の頸椎から仙椎までの計測部分において前記計測指示部が出力する計測開始信号及び計測終了信号に基づき前記左側温度計測部・右側温度計測部が行う計測作業の手順を処理し、
前記温度差算出部は、前記脊柱の頸椎から仙椎までの計測部分において前記計測位置明示部を前記脊柱の左右方向中心に向けて指示光を照射しながら前記脊柱の延びる方向に移動させる間に前記左側温度計測部・右側温度計測部が連続して計測した前記脊柱の左側体表面温度・右側体表面温度を比較して温度差を算出し、
前記表示指令部は、前記左側温度計測部・右側温度計測部が計測した時点における前記温度差算出部が算出した温度差を、前記脊柱の左右方向中心に対して左側体表面温度・右側体表面温度の高い側に温度差の大きさに応じて傾く角度で前記表示手段に表示させることを特長とする請求項１に記載の脊椎動物の健康状態検出制御装置。
【発明の詳細な説明】
【技術分野】
【０００１】
この発明は、脊柱の左右両側部位の各側体表面温度から脊椎動物の健康状態を判断することが可能な脊椎動物の健康状態検出制御装置に関する。
【背景技術】
【０００２】
人や犬、猫などの脊柱を有する脊椎動物において、健康状態を良好に保つために各種の技術が提案されている。
【０００３】
例えば、特開２００５−５８７３９号公報には、犬や猫の経絡（ツボ）へ指圧、マッサージなどを施術し、骨格、関節の歪みの調整をカイロプラクティックなどの施術を行う技術が開示されている。また、特開２０１０−２７３９２２号公報には、動物への装着が容易で体型に適合し、効果的に胸椎、腰椎、骨盤の動きを規制したり歪みを矯正できる動物用コルセットが開示されている。
【先行技術文献】
【特許文献】
【０００４】
【特許文献１】特開２００５−５８７３９号公報
【特許文献２】特開２０１０−２７３９２２号公報
【発明の概要】
【発明が解決しようとする課題】
【０００５】
ところで、脊椎動物においては、脳につながり、脊柱の椎骨内を通る脊髄から全身に神経を延ばし、体の組織・器官の機能を統率している。神経は、例えば、環境にあわせて毛細血管を収縮させたり拡張させることで体温を調節し、環境の変化に身体を適応させている。
【０００６】
脊椎動物は、神経によって身体の体温が左右で均等になるように調節されることから、体表面温度も左右で均等になって現れる。したがって、体表面温度が左右で不均等である場合は、何らかの神経機能の異常があり、不健康な状態であると考えられる。例えば、脊柱の左右両側部位の左側体表面温度・右側体表面温度（以下、「各側体表面温度」と記す。）の温度差は、椎骨のずれに比例して椎骨内を通る神経の情報伝達に乱れが起こり、この神経が統率する内臓や筋肉の活動に左右差が出て、脊柱の左右両側部位の各側体表面温度の均衡が崩れた結果、生ずる現象である。
【０００７】
これより、脊柱を挟む左右両側部位の各側体表面温度の温度差を脊椎動物の健康状態を示す指標として、何らかの神経機能の異常があり、不健康な状態である箇所（患部）に関連する椎骨を見つけ出し、適切な施術により椎骨を正常な位置に戻して神経の情報伝達の乱れを解消することで、この神経が統率する内臓や筋肉の活動を正して健康状態を改善し、病気やけがを予防することができる。
【０００８】
そこで、この発明は、脊柱の左右両側部位の各側体表面温度から脊椎動物の健康状態を判断し、病気やけがを予防することが可能な脊椎動物の健康状態検出制御装置を提供することを目的とする。
【課題を解決するための手段】
【０００９】
この発明は、脊椎動物の体表面温度を計測する計測手段と、前記計測手段が行う計測作業の手順及び計測した体表面温度を処理する制御手段と、前記制御手段が処理した計測作業の手順及び体表面温度を表示する表示手段と、を備え、前記計測手段は、前記脊椎動物の脊柱の右側体表面温度・左側体表面温度を計測するように配置された非接触型の左側温度計測部・右側温度計測部と、前記左側温度計測部・右側温度計測部による左側体表面温度・右側体表面温度の計測開始及び計測終了をそれぞれ指示する計測開始信号及び計測終了信号を出力する計測指示部と、前記左側温度計測部・右側温度計測部の中間位置に配置され、前記脊柱に指示光を照射して前記左側温度計測部・右側温度計測部の計測位置を明示する計測位置明示部と、を有し、前記制御手段は、前記左側温度計測部・右側温度計測部により前記脊柱の左側体表面温度・右側体表面温度を計測する場合に、前記脊柱を頸椎、胸椎、腰椎、仙椎毎に分けた各計測部分において前記計測指示部の出力する計測開始信号及び計測終了信号に基づき前記左側温度計測部・右側温度計測部が行う計測作業の手順を処理する計測作業処理部と、前記脊柱の各計測部分において前記計測位置明示部を前記脊柱の左右方向中心に向けて指示光を照射しながら前記脊柱の延びる方向に移動させる間に前記左側温度計測部・右側温度計測部が計測した前記脊柱の左側体表面温度・右側体表面温度を比較して温度差を算出する温度差算出部と、前記温度差算出部が算出した温度差を前記脊柱の各計測部分に存する各椎骨と関連付けた温度差位置情報を生成する温度差位置情報生成部と、前記温度差位置情報生成部が生成した温度差位置情報に基づいて、前記温度差算出部が算出した温度差を、前記脊柱の各計測部分に存する各椎骨と対応する位置であって、前記脊柱の左右方向中心に対して左側体表面温度・右側体表面温度の高い側に温度差の大きさに応じて離れる線で前記表示手段に表示させる表示指令部と、を有することを特長とする。
【発明の効果】
【００１０】
この発明は、表示手段に表示される脊柱の左側体表面温度・右側体表面温度の温度差を脊椎動物の健康状態を示す指標として観察することで、何らかの神経機能の異常があり、不健康な状態である箇所（患部）に関連する神経が通る椎骨であって、歪み・ずれのある椎骨を見つけ出すことができ、健康状態を判断することができる。
これにより、この発明は、温度差による神経機能の異常部位を見つけた歪み・ずれのある椎骨に整体等を施して椎骨を正常な位置に戻すことで、神経の情報伝達の乱れを解消することができるため、この神経が統率する内臓や筋肉の活動を正して、脊柱の左右両側部位の各側体表面温度の温度差を均衡にすることができ、脊椎動物の健康状態を改善して病気やけがを予防することができる。
【図面の簡単な説明】
【００１１】
【図１】図１は脊椎動物の健康状態検出制御装置のブロック図である。（実施例）
【図２】図２（Ａ）は温度計測具の正面図、図２（Ｂ）は温度計測具の側面図、図２（Ｃ）は温度計測具の背面図である。（実施例）
【図３】図３は健康状態検出制御プログラムのトップページの画面を示す図である。（実施例）
【図４】図４は健康状態検出制御プログラムの計測作業開始の画面を示す図である。（実施例）
【図５】図５は健康状態検出制御プログラムの計測作業実行の画面を示す図である。（実施例）
【図６】図６は健康状態検出制御プログラムの計測履歴の画面を示す図である。（実施例）
【図７】図７は健康状態検出制御プログラムの計測結果比較の画面を示す図である。（実施例）
【図８】図８は健康状態検出制御プログラムの自律神経説明の画面を示す図である。（実施例）
【図９】図９は健康状態検出制御プログラムの他の計測作業実行の画面を示す図である。（実施例）
【発明を実施するための形態】
【００１２】
以下、図面に基づいて、この発明の実施例を説明する。
【実施例】
【００１３】
図１〜図９は、この発明の実施例を示すものである。この発明は、後述する図８の自律神経説明の画面Ｗ８に示すように、犬・猫などの脊椎動物１の健康状態を改善して病気やけがを予防するものである。脊椎動物１においては、脳２につながる脊髄３から全身に神経４を延ばし、体の組織・器官の機能を統率している。神経４は、例えば、環境にあわせて毛細血管を収縮させたり拡張させることで体温を調節し、環境の変化に身体を適応させている。脊椎動物１は、神経４によって身体の体温が左右で均等になるように調節されることから、体表面温度も左右で均等になって現れる。
図１において、脊椎動物１の健康状態検出制御装置５は、脊椎動物１の体表面温度を計測する計測手段６と、計測手段６が行う計測作業の手順及び計測した体表面温度を処理する制御手段７と、制御手段７が処理した計測作業の手順及び体表面温度を表示する表示手段８と、を備える。
制御手段７は、コンピュータにより構成される。制御手段７の入力側には、計測手段６が接続され、キーボードやマウスなどの操作指令を入力する入力手段９が接続される。制御手段７の出力側には、画像を表示する液晶ディスプレーなどの表示手段８が接続され、表示手段８に表示された画像を印刷するプリンタなどの印刷手段１０が接続される。
【００１４】
計測手段６は、後述する図４の計測作業の画面Ｗ３に示すように、脊椎動物１の脊髄３が通る脊柱１１を挟む左右両側部位の左側体表面温度・右側体表面温度を、脊柱１１の延びる方向に順次に計測する。脊柱１１は、頭部側から腰部側に向かい、頸椎１２、胸椎１３、腰椎１４、仙椎１５、尾椎１６の順に積み重なった椎骨（図示せず）により形成される。
計測手段６は、図１に示すように、左側温度計測部１７と、右側温度計測部１８と、計測指示部１９と、計測位置明示部２０と、計測状態表示部２１と、温度計測処理部２２と、を備える。左側温度計測部１７と右側温度計測部１８と計測指示部１９と計測位置明示部２０と計測状態表示部２１とは、温度計測処理部２２に接続される。
【００１５】
左側温度計測部１７・右側温度計測部１８は、脊柱１１の左側体表面温度Ｔｌ・右側体表面温度Ｔｒを、脊柱１１の延びる方向に順次に計測する。左側温度計測部１７・右側温度計測部１８は、例えば非接触型の赤外線センサからなり、脊柱１１の左右両側部位の各側体表面がそれぞれ放出する赤外線量を量り、赤外線量を温度に換算することによって左側体表面温度Ｔｌ・右側体表面温度Ｔｒをそれぞれ計測する。
この実施例において、左側温度計測部１７は、左側温度計測部１７ａ及び左側温度計測部１７ｂの２つとしている。２つの左側温度計測部１７ａ及び左側温度計測部１７ｂは、図２に示すように、計測時に脊柱１１の延びる方向（図２において上下方向）に並ぶように、近接させて配置している。また、この実施例において、右側温度計測部１８は、右側温度計測部１８ａ及び右側温度計測部１８ｂの２つとしている。２つの右側温度計測部１８ａ及び右側温度計測部１８ｂは、計測時に脊柱１１の延びる方向に並ぶように、近接させて配置している。
それぞれ２つずつの左側温度計測部１７・右側温度計測部１８は、脊柱１１の左右両側部位の左側体表面温度Ｔｌ・右側体表面温度Ｔｒをそれぞれ検出するように、脊柱１１を挟んで左右両側に互いに平行に配置される（図２参照）。
計測において、左側温度計測部１７は、同一の計測位置を脊柱１１の延びる方向に並ぶように配置した２つの左側温度計測部１７ａ及び左側温度計測部１７ｂで順次に計測し、同一の計測位置について２つの左側計測値を得る。同様に、右側温度計測部１８は、同一の計測位置を脊柱１１の延びる方向に並ぶように配置した２つの右側温度計測部１８ａ及び右側温度計測部１８ｂで順次に計測し、同一の計測位置について２つの右側計測値を得る。
【００１６】
計測指示部１９は、押しボタンスイッチからなり、押し操作で計測開始信号Ｓ１を出力し、放し操作で計測終了信号Ｓ２を出力する。計測開始信号Ｓ１は、左側温度計測部１７・右側温度計測部１８による左側体表面温度Ｔｌ・右側体表面温度Ｔｒの計測開始を指示する。計測終了信号Ｓ２は、左側温度計測部１７・右側温度計測部１８による左側体表面温度Ｔｌ・右側体表面温度Ｔｒの計測終了を指示する。
計測位置明示部２０は、例えば、レーザー光を照射してある点を指し示すレーザーポインタからなり、互いに平行に配置される左側温度計測部１７・右側温度計測部１８の中間位置に配置される。これより、左側温度計測部１７・右側温度計測部１８は、計測位置明示部２０を挟んで左右両側部位に配置される。計測位置明示部２０は、計測指示部１９が出力する計測開始信号Ｓ１により指示光の照射を開始するとともに、計測指示部１９が出力する計測終了信号Ｓ２により指示光の照射を停止する。
計測位置明示部２０は、脊椎動物１の脊柱１１に向かい指示光を照射することで、指示光が照射された位置によって左側温度計測部１７・右側温度計測部１８の計測位置を明示し、計測作業者に計測位置を可視化して把握させる。
計測状態表示部２１は、左側温度計測部１７・右側温度計測部１８により計測が行われている状態の部分（脊柱１１の頸椎１２、胸椎１３、腰椎１４、仙椎１５の各部分）を、第１表示器２１−１〜第６表示器２１−６（図２（Ｃ）参照）の点灯により表示する。
【００１７】
温度計測処理部２２は、計測指示部１９が出力する計測開始信号Ｓ１及び計測終了信号Ｓ２を制御手段７に出力する。温度計測処理部２２は、制御手段７からの指令に基づいて、計測指示部１９が出力する計測開始信号Ｓ１及び計測終了信号Ｓ２に従い、左側温度計測部１７・右側温度計測部１８の計測処理を行い、計測位置明示部２０の照射光の照射処理を行う。また、温度計測処理部２２は、制御手段７からの指令に従い、計測状態表示部２１の点灯処理を行う。
温度計測処理部２２は、左側温度計測部１７の計測処理において、２つの左側温度計測部１７ａ及び左側温度計測部１７ｂが同一の計測位置について得た２つの左側計測値を平均化することで、測定誤差を修正した左側体表面温度Ｔｌを得る。また、温度計測処理部２２は、右側温度計測部１８の計測処理において、２つの右側温度計測部１８ａ及び右側温度計測部１８ｂが同一の計測位置について得た２つの右側計測値を平均化することで、測定誤差を修正した右側体表面温度Ｔｒを得る。
温度計測処理部２２は、左側温度計測部１７・右側温度計測部１８が計測した左側体表面温度Ｔｌ・右側体表面温度Ｔｒを制御手段７に出力する。
【００１８】
計測手段６は、図２に示すように、手に持って操作可能な温度計測具６Ｍとして形成することができる。温度計測具６Ｍは、本体部２３と、持ち手部２４と、からなる。
本体部２３は、略長四角箱形状に形成され、左側温度計測部１７・右側温度計測部１８、計測位置明示部２０、計測状態表示部２１、温度計測処理部２２を内部に配置している。
左側温度計測部１７・右側温度計測部１８は、前端の開口部２５から前方に向けて平行に配置している。計測位置明示部２０は、左側温度計測部１７・右側温度計測部１８の中間位置に、開口部２５から前方に向けて配置している。計測状態表示部２１は、後端に後上方に向けて配置している。温度計測処理部２２は、中間内部に配置している。
左側温度計測部１７は、２つの左側温度計測部１７ａ及び左側温度計測部１７ｂを、計測時に脊柱１１の延びる方向に並ぶように配置している。右側温度計測部１８は、２つの右側温度計測部１８ａ及び右側温度計測部１８ｂを、計測時に脊柱１１の延びる方向に並ぶように配置している。
持ち手部２４は、本体部２３の下側に取り付けられ、前側上部に計測指示部１９を配置している。
【００１９】
本体部２３の前端には、調整具２６を備える。調整具２６は、左側温度計測部１７と右側温度計測部１８との間隔を設定する。
調整具２６は、外部前端の下部に配置した回転操作可能な調節ダイヤル２７と、調節ダイヤル２７に連結されて回転する内部前端に配置したピニオンギア２８と、ピニオンギア２８を前側・後側から平行に挟むように噛み合う左側用ラックギア２９・右側用ラックギア３０と、を備える。左側用ラックギア２９には、左側温度計測部１７が取り付けられる。右側用ラックギア３０には、右側温度計測部１８が取り付けられる。
調整具２６は、調節ダイヤル２７の回転によりピニオンギア２８を回転させ、一対のラックギア２９・３０を本体部２３の左右方向に相対的に移動させることで、左側温度計測部１７・右側温度計測部１８を本体部２３の左右方向に間隔が拡大縮小するように移動させる。
これにより、調整具２６は、体表面温度を測定する脊椎動物１の脊柱１１の幅に合わせて、左側温度計測部１７・右側温度計測部１８の間隔を設定することができる。なお、計測位置明示部２０は、本体部２３に固定され、左側温度計測部１７・右側温度計測部１８の間隔を拡大縮小しても移動せず、常に左側温度計測部１７・右側温度計測部１８の中間位置に配置される。
【００２０】
制御手段７は、図１に示すように、演算処理部３１と、情報記憶部３２と、を備える。制御手段７は、計測手段６から入力する計測指示部１９の計測開始信号Ｓ１及び計測終了信号Ｓ２により計測手段６が行う計測作業の手順を処理し、計測手段６から入力する左側体表面温度Ｔｌ・右側体表面温度Ｔｒを処理する。
【００２１】
演算処理部３１は、計測作業処理部３３と、温度差算出部３４と、温度差位置情報生成部３５と、計測履歴情報生成部３６と、表示指令部３７と、印刷指令部３８と、を有している。
計測作業処理部３３は、脊柱１１の左側体表面温度Ｔｌ・右側体表面温度Ｔｒを計測する場合に、脊柱１１を頭部側から腰部側に向かって、頸椎１２、胸椎１３、腰椎１４、仙椎１５毎に各計測部分（頸椎計測部分１２ｓ、胸椎計測部分１３ｓ、腰椎計測部分１４ｓ、仙椎計測部分１５ｓ）に分け（図４参照）、各計測部分１２ｓ〜１５ｓの計測作業を順番に行う。このとき、計測作業処理部３３は、各計測部分１２ｓ〜１５ｓにおいて、計測指示部１９の出力する計測開始信号Ｓ１及び計測終了信号Ｓ２に基づき、左側温度計測部１７・右側温度計測部１８が行う計測作業の手順を処理する。
脊柱１１の各計測部分１２ｓ〜１５ｓのそれぞれにおいては、計測位置明示部２０を脊柱１１の左右方向中心に向け、計測指示部１９を押し操作（計測開始信号Ｓ１を出力）して左側温度計測部１７・右側温度計測部１８による脊柱１１の左側体表面温度Ｔｌ・右側体表面温度Ｔｒの計測を開始し、計測指示部１９を押し操作した状態で計測位置明示部２０の指示光を脊柱１１に照射しながら計測手段６を脊柱１１の延びる方向に一定速度で移動させて左側体表面温度Ｔｌ・右側体表面温度Ｔｒの計測を行い、計測指示部１９を放し操作（計測終了信号Ｓ２を出力）して左側体表面温度Ｔｌ・右側体表面温度Ｔｒの計測を終了する。
【００２２】
各計測部分１２ｓ〜１５ｓのそれぞれの計測時には、計測指示部１９が１回ずつ押し操作及び放し操作される。したがって、計測指示部１９が押し操作及び放し操作された回数（計測開始信号Ｓ１及び計測終了信号Ｓ２が出力された数）は、脊柱１１の頭部側から腰部側に向かって分けられた各計測部分１２ｓ〜１５ｓの計測作業に対応している。
例えば、図４に示すように、この実施例において、計測指示部１９が出力した計測開始信号Ｓ１の数が「１」の場合は、頸椎計測部分１２ｓの（１）の位置の計測開始を示している。また、計測指示部１９が出力した計測終了信号Ｓ２の数が「１」の場合は、頸椎計測部分１２ｓの（１）の位置の計測終了を示している。
また、この実施例において、計測指示部１９が出力した計測開始信号Ｓ１の数が「４」の場合は、胸椎計測部分１３ｓの（４）の位置の計測開始を示している。また、計測指示部１９が出力した計測終了信号Ｓ２の数が「４」の場合は、胸椎計測部分１３ｓの（５）の位置の計測終了を示している。
これより、計測作業処理部３３は、計測指示部１９が出力した計測開始信号Ｓ１及び計測終了信号Ｓ２の数によって脊柱１１の各計測部分１２ｓ〜１５ｓを認識でき、脊柱１１の各計測部分１２ｓ〜１５ｓにおいて、計測指示部１９の出力する計測開始信号Ｓ１及び計測終了信号Ｓ２に基づき、左側温度計測部１７・右側温度計測部１８が行う計測作業の手順を処理する。
【００２３】
温度差算出部３４は、計測作業処理部３３が処理する脊柱１１の各計測部分１２ｓ〜１５ｓにおいて、計測位置明示部２０を脊柱１１の左右方向中心に向けて指示光を照射しながら計測手段６を脊柱１１の延びる方向に一定速度で移動させる間に左側温度計測部１７・右側温度計測部１８が計測した脊柱１１の左側体表面温度Ｔｌ・右側体表面温度Ｔｒを比較して、温度差ＴΔを算出する。
温度差位置情報生成部３５は、温度差位置情報Ｉｔを生成する。
脊柱１１の各計測部分１２ｓ〜１５ｓの計測においては、計測指示部１９が出力した計測開始信号Ｓ１及び計測終了信号Ｓ２に数によって、各計測部分１２ｓ〜１５ｓのいずれが計測されたかを認識することができる。また、頸椎１２、胸椎１３、腰椎１４、仙椎１５、尾椎１６は、椎骨の数が定まっている。
そこで、例えば、５つの椎骨からなる腰椎１４の腰椎計測部分１４ｓの計測においては、図４に示す（４）、（５）間において計測指示部１９が押し操作（計測開始）されてから放し操作（計測終了）されるまでの間に計測した左側体表面温度Ｔｌ・右側体表面温度Ｔｒを脊柱１１の延びる方向において５等分することで、５等分された左側体表面温度Ｔｌ・右側体表面温度Ｔｒの位置にある椎骨をおおよそ特定することができ、５等分された左側体表面温度Ｔｌ・右側体表面温度Ｔｒの温度差ＴΔの位置にある椎骨をおおよそ特定することができる。
これより、温度差位置情報生成部３５は、温度差算出部３４が左側体表面温度Ｔｌ・右側体表面温度Ｔｒから算出した温度差ＴΔを各計測部分１２ｓ〜１５ｓに存する各椎骨と関連付けた、温度差位置情報Ｉｔを生成する。
表示指令部３７は、温度差位置情報生成部３５が生成した温度差位置情報Ｉｔに基づいて、温度差算出部３４が算出した温度差ＴΔを、脊柱１１の各計測部分１２ｓ〜１５ｓに存する各椎骨と対応する位置であって、脊柱１１の左右方向中心（中心線Ｃ）に対して左側体表面温度Ｔｌ・右側体表面温度Ｔｒの高い側に、温度差ＴΔの大きさに応じて中心線Ｃから離れる線で表示手段８に表示させる（図５参照）。
印刷指令部３８は、入力手段９から入力された印刷指令に基づいて、温度差ＴΔを、脊柱１１の各計測部分１２ｓ〜１５ｓに存する各椎骨と対応する位置であって、脊柱１１の左右方向中心（中心線Ｃ）に対して左側体表面温度Ｔｌ・右側体表面温度Ｔｒの高い側に、温度差ＴΔの大きさに応じて離れる線で表示する、表示手段８の画像を印刷手段１０に出力し、印刷させる。
【００２４】
計測履歴情報生成部３６は、計測履歴情報Ｉｄを生成する。計測履歴情報Ｉｄは、脊柱１１の各計測部分１２ｓ〜１５ｓの全てにおいて左側温度計測部１７・右側温度計測部１８が計測した脊柱１１の左側体表面温度Ｔｌ・右側体表面温度Ｔｒを、計測を行った日時（計測日時）と関連付けて生成される。
表示指令部３７は、計測履歴情報生成部３６が生成した計測履歴情報Ｉｄに基づいて、左側温度計測部１７・右側温度計測部１８が計測した脊柱１１の左側体表面温度Ｔｌ・右側体表面温度Ｔｒの計測日時毎の複数の計測結果を並べて表示手段８に表示させる（図７参照）。
印刷指令部３８は、入力手段９から入力された印刷指令に基づいて、脊柱１１の左側体表面温度Ｔｌ・右側体表面温度度Ｔｒの計測日時毎の複数の計測結果を並べて表示する表示手段８の画像を印刷手段１０に出力し、印刷させる。
【００２５】
情報記憶部３２は、体表面温度記憶部３９と、計測指示信号記憶部４０と、温度差記憶部４１と、温度差位置情報記憶部４２と、計測履歴情報記憶部４３と、を有している。
体表面温度記憶部３９は、左側温度計測部１７・右側温度計測部１８が計測した左側体表面温度Ｔｌ・右側体表面温度Ｔｒを記憶する。計測指示信号記憶部４０は、計測指示部１９が出力した計測開始信号Ｓ１及び計測終了信号Ｓ２の数を記憶する。温度差記憶部４１は、温度差算出部３４が算出した温度差ＴΔを記憶する。温度差位置情報記憶部４２は、温度差位置情報生成部３５が生成した温度差位置情報Ｉｔを記憶する。計測履歴情報記憶部４３は、計測履歴情報生成部３６が生成した計測履歴情報Ｉｄを記憶する。
【００２６】
次に作用を説明する。
脊椎動物１の健康状態検出制御装置５は、計測に際して、図２に示す温度計測具６Ｍの調整具２６の調節ダイヤル２７を回転させることで、体表面温度を測定する犬や猫等の脊椎動物１の脊柱１１の幅に合わせて、左側温度計測部１７・右側温度計測部１８の間隔を設定する。
健康状態検出制御装置５は、制御手段７によって、健康状態検出制御のプログラムがスタートすると、図３に示す「トップページ」の画面Ｗ１を表示手段８に表示させる。
制御手段７は、「トップページ」の画面Ｗ１において、メニューバーＭ１の「患者ファイル」タブが入力手段９のマウスでクリック（選択・指定された状態）され、クリックにより開かれた「種類選択」メニューＭ２から検出対象の脊椎動物１の種類（いぬファイル、ねこファイル）がクリックされ、クリックにより開かれた「種類ファイル」メニューＭ３から登録された犬、猫の「名前」（田中モアナ、横山ポチなど）がクリックされると、「トップページ」の画面Ｗ１内に、指定された脊椎動物１の患者の「カルテ」の画面Ｗ２を開く。
図３においては、「種類選択」メニューＭ２から検出対象の脊椎動物１の種類として「いぬファイル」が選択され、選択された「種類ファイル」メニューＭ３である「いぬファイル」メニューから登録された「名前」として「森メロン」がクリックされたため、クリックされた「森メロン」の「カルテ」の画面Ｗ２が開かれている。「カルテ」の画面Ｗ２の情報は、入力手段９のキーボードによって編集することができ、印刷指令部３８によって印刷手段１０で印刷することができる。
また、脊椎動物１の新規な患者の「カルテ」を作成する場合は、「種類ファイル」メニューＭ３の「＋追加」をクリックすることで、新たな「カルテ」の画面Ｗ２が開かれ、入力手段９のキーボードで名前、性別、生年月日、住所、症状、メモを入力することができる。情報を入力した新たな「カルテ」は、名前を付けて新規な患者の「カルテ」ファイルとして保存することで、「種類ファイル」メニューＭ３に新規な患者の名前を追加することができる。
【００２７】
制御手段７は、図３において、患者「森メロン」の「カルテ」の画面Ｗ２の「計測開始」ボタンＢ１がクリックされると、図４に示す「計測作業開始」の画面Ｗ３を表示手段８に表示させる。図４には、患者「森メロン」の脊柱１１が、頭部側から腰部側に向かい、頸椎１２、胸椎１３、腰椎１４、仙椎１５、尾骨１６の順に並んで、模式的に表示されている。
計測作業は、「計測作業開始」の画面Ｗ３に表示されるように、頸椎１１の中心線Ｃに沿って分けられた各計測部分１２ｓ〜１５ｓにおいて順次に行われる。各計測部分１２ｓ〜１５ｓの計測作業は、制御手段７の計測処理部３３によって、（１）〜（７）の番号の順に行われる。
制御手段７は、「計測作業開始」の画面Ｗ３において、「スタート」ボタンＢ２がクリックされると、計測手段６に通電して左側温度計測部１７・右側温度計測部１８及び計測位置明示部２０を起動し、図５に示す「計測作業実行」の画面Ｗ４を表示手段８に表示させる。「計測作業実行」の画面Ｗ４では、「スタート」ボタンＢ２が「終了」ボタンＢ３に切り換えられて表示される。
また、制御手段７は、表示指令部３７によって、表示手段８の「計測作業実行」の画面Ｗ４にグラフ形状の温度差色彩表示部４４を表示させる。温度差色彩表示部４４には、左側温度計測部１７・右側温度計測部１８が計測した時点における温度差算出部３４が算出した温度差ＴΔを、脊柱１１の左右方向中心（中心線Ｃ）に対して左側体表面温度Ｔｌ・右側体表面温度Ｔｒの高い側に、温度差ＴΔの大きさに応じて中心線Ｃから離れるに従い変化する色彩が表示される。色彩は、有彩色・無彩色のいずれでもよい。
【００２８】
計測作業の実行においては、図５に示す「計測作業実行」の画面Ｗ４の頸椎計測部分１２ｓにおいて、先ず、頸椎１２最上部左側の（１）の位置の左側体表面温度Ｔｌ（１）と頸椎１２最上部右側の（２）の位置の右側体表面温度Ｔｒ（２）とを、個別に計測する。
【００２９】
頸椎計測部分１２ｓの（１）の位置の計測作業では、計測作業者が計測手段６の計測位置明示部２０を脊柱１１の左右方向中心（中心線Ｃ）に向けて、左側温度計測部１７を（１）の位置の右側体表面に所定距離だけ離して対向させ、計測指示部１９を押し操作すると、計測指示部１９が出力する１回目の計測開始信号Ｓ１によって計測位置明示部２０が脊柱１１の中心線Ｃに向けて指示光を照射し、左側温度計測部１７による計測が開始される。
計測指示部１９の１回目の計測開始信号Ｓ１は、温度計測処理部２２によって制御手段７に出力され、制御手段７の計測作業処理部３３に頸椎計測部分１２ｓの（１）の位置の計測開始を認識させる。
計測作業者は、計測指示部１９を押し操作した状態で、左側温度計測部１７を脊柱１１の延びる方向に一定速度で移動させ、（１）の位置を２つの左側温度計測部１７ａ及び左側温度計測部１７ｂで順次に計測を行って２つの左側計測値を得た後に、計測指示部１９を放し操作することで１回目の計測終了信号Ｓ２が出力され、（１）の位置の計測を終了する。
温度計測処理部２２は、２つの左側温度計測部１７ａ及び左側温度計測部１７ｂが（１）の位置で得た２つの左側計測値を平均化し、測定誤差を修正した（１）の位置の左側体表面温度Ｔｌ（１）を得る。
温度計測処理部２２は、（１）の位置の計測作業では右側温度計測部１８を作動させず、右側体表面温度Ｔｒ（２）の計測を行わない。温度計測処理部２２は、（１）の位置の左側体表面温度Ｔｌ（１）の計測が行われる間、計測状態表示部２１の第１表示部２１−１を点灯させる。
計測指示部１９の１回目の計測終了信号Ｓ２は、温度計測処理部２２によって制御手段７に出力され、制御手段７の計測作業処理部３３に頸椎計測部分１２ｓの（１）の位置の計測終了を認識させる。制御手段７は、頸椎計測部分１２ｓの（１）の位置の計測終了を認識すると、次の（２）の位置の計測作業の処理に移行する。
【００３０】
頸椎計測部分１２ｓの（２）の位置の計測作業では、（１）の位置の計測作業と同様に、計測作業者が計測位置明示部２０を脊柱１１の中心線Ｃに向けて、右側温度計測部１８を（２）の位置の右側体表面に所定距離だけ離して対向させ、計測指示部１９を押し操作することで出力される２回目の計測開始信号Ｓ１により計測位置明示部２０が脊柱１１の中心線Ｃに向けて指示光を照射し、右側温度計測部１８による計測が開始される。
計測指示部１９の２回目の計測開始信号Ｓ１は、制御手段７に出力され、頸椎計測部分１２ｓの（２）の位置の計測開始を認識させる。
計測作業者は、計測指示部１９を押し操作した状態で、右側温度計測部１８を脊柱１１の延びる方向に一定速度で移動させ、（２）の位置を２つの右側温度計測部１８ａ及び右側温度計測部１８ｂで順次に計測を行って２つの右側計測値を得た後に、計測指示部１９を放し操作することで２回目の計測終了信号Ｓ２が出力され、（２）の位置の計測を終了する。
温度計測処理部２２は、２つの右側温度計測部１８ａ及び右側温度計測部１８ｂが（２）の位置で得た２つの右側計測値を平均化し、測定誤差を修正した（２）の位置の右側体表面温度Ｔｒ（２）を得る。
温度計測処理部２２は、（２）の位置の計測作業では左側温度計測部１７を動作させず、左側体表面温度Ｔｌ（１）の計測を行わない。温度計測処理部２２は、（２）の位置の右側体表面温度Ｔｒ（２）の計測が行われる間、計測状態表示部２１の第２表示部２１−２を点灯させる。
計測指示部１９の２回目の計測終了信号Ｓ２は、制御手段７に出力され、頸椎計測部分１２ｓの（２）の位置の計測終了を認識させる。制御手段７は、頸椎計測部分１２ｓの（２）の位置の計測終了を認識すると、次の（３）−（４）間に計測作業の処理に移行する。
【００３１】
頸椎計測部分１２ｓの（３）−（４）間の計測作業では、脊柱１１の左側体表面温度Ｔｌ（３−４）・右側体表面温度Ｔｒ（３−４）を連続して計測する。
（３）−（４）間の計測作業では、計測作業者が計測位置明示部２０を脊柱１１の左右方向中心（中心線Ｃ）の（３）の位置に向けて、左側温度計測部１７・右側温度計測部１８を（３）の位置の左側体表面・右側体表面にそれぞれ所定距離だけ離して対向させ、計測指示部１９を押し操作すると、計測指示部１９が出力する３回目の計測開始信号Ｓ１によって計測位置明示部２０が脊柱１１の中心線Ｃに向けて指示光を照射し、左側温度計測部１７・右側温度計測部１８による計測が開始される。
計測指示部１９の３回目の計測開始信号Ｓ１は、温度計測処理部２２によって制御手段７に出力され、制御手段７に頸椎計測部分１２ｓの（３）の位置の計測開始を認識させる。
計測作業者は、計測指示部１９を押し操作した状態で、計測位置明示部２０の指示光を脊柱１１の中心線Ｃに照射しながら計測手段６を脊柱１１の延びる方向の（４）の位置に向かい一定速度で移動させ、左側体表面温度Ｔｌ（３−４）・右側体表面温度Ｔｒ（３−４）を連続して計測する。
温度計測処理部２２は、（３）−（４）間の左側体表面温度Ｔｌ（３−４）・右側体表面温度Ｔｒ（３−４）の計測が行われている間、計測状態表示部２１の第３表示部２１−３を点灯させる。
【００３２】
（３）−（４）間の計測においては、（３）−（４）間の左側体表面を２つの左側温度計測部１７ａ及び左側温度計測部１７ｂで順次に計測を行って２つの左側計測値を得るとともに、（３）−（４）間の右側体表面を２つの右側温度計測部１８ａ及び右側温度計測部１８ｂで順次に計測を行って２つの右側計測値を得る。
温度計測処理部２２は、２つの左側温度計測部１７ａ及び左側温度計測部１７ｂが（３）−（４）間で得た２つの左側計測値を平均化し、測定誤差を修正した左側体表面温度Ｔｌ（３−４）を得る。また、温度計測処理部２２は、２つの右側温度計測部１８ａ及び右側温度計測部１８ｂが（３）−（４）間で得た２つの右側計測値を平均化し、測定誤差を修正した右側体表面温度Ｔｒ（３−４）を得る。
温度計測処理部２２は、（１）の位置の左側体表面温度Ｔｌ（１）と（３）−（４）間の左側体表面温度Ｔｌ（３−４）とを合わせて頸椎計測部分１２ｓの左側体表面温度Ｔｌ（１２ｓ）とし、（２）の位置の右側体表面温度Ｔｒ（２）と（３）−（４）間の右側体表面温度Ｔｒ（３−４）とを合わせて頸椎計測部分１２ｓの右側体表面温度Ｔｒ（１２ｓ）とし、制御手段７に出力する。
計測位置明示部２０の指示光が脊柱１１の中心線Ｃの（４）の位置に達した場合は、計測指示部１９を放し操作することで３回目の計測終了信号Ｓ２が出力され、（３）−（４）間の計測を終了する。
【００３３】
制御手段７は、温度計測処理部２２が出力した頸椎計測部分１２ｓの左側体表面温度Ｔｌ（１２ｓ）・右側体表面温度Ｔｒ（１２ｓ）を体表面温度記憶部３９に記憶させ、計測指示部１９が出力した計測開始信号Ｓ１及び計測終了信号Ｓ２の数（各「３」）を計測指示信号記憶部４０に記憶させる。
制御手段７は、体表面温度記憶部３９に記憶させた頸椎計測部分１２ｓの左側体表面温度Ｔｌ（１２ｓ）・右側体表面温度Ｔｒ（１２ｓ）を温度差算出部３４により比較して温度差ＴΔ（１２ｓ）を算出し、算出した温度差ＴΔ（１２ｓ）を温度差記憶部４１に記憶させる。
また、制御手段７は、温度差位置情報生成部３５によって、温度差記憶部４１に記憶させた頸椎計測部分１２ｓの温度差ＴΔ（１２ｓ）を頸椎計測部分１２ｓに存する各椎骨と関連付けた、温度差位置情報Ｉｔ（１２ｓ）を生成する。制御手段７は、生成した頸椎計測部分１２ｓの温度差位置情報Ｉｔ（１２ｓ）を、温度差位置情報記憶部４２に記憶させる。
制御手段７は、温度差位置情報Ｉｔ（１２ｓ）に基づいて、温度差算出部３４が算出した温度差ＴΔ（１２ｓ）を、脊柱１１の頸椎計測部分１２ｓに存する各椎骨と対応する位置であって、脊柱１１の左右方向中心（中心線Ｃ）に対して左側体表面温度Ｔｌ（１２ｓ）・右側体表面温度Ｔｒ（１２ｓ）の高い側に、温度差ＴΔの大きさに応じて中心線Ｃから離れる線で、図５に示す「計測作業実行」の画面Ｗ４の頸椎１２に表示させる。
また、制御手段７は、（３）−（４）間の計測作業を実行中に、図５に示す画面Ｗ４の温度差色彩表示部４４に、左側温度計測部１７・右側温度計測部１８が計測した時点における温度差算出手段３４が算出した温度差ＴΔ（１２ｓ）を、脊柱１１の左右方向中心（中心線Ｃ）に対して左側体表面温度Ｔｌ・右側体表面温度Ｔｒの高い側に、温度差ＴΔ（１２ｓ）の大きさに応じて変化する色彩によって表示させる。
計測作業者は、温度差色彩表示部４４に表示される色彩の変化から、左側温度計測部１７・右側温度計測部１８が計測した時点における温度差ＴΔ（１２ｓ）を、タイムリーに観察することができる。
【００３４】
計測指示部１９の３回目の計測終了信号Ｓ２は、温度計測処理部２２によって制御手段７に出力され、制御手段７に頸椎計測部分１２ｓの（３）−（４）間の計測終了を認識させる。制御手段７は、頸椎計測部分１２ｓの（１）−（４）の計測終了を認識すると、後述する演算処理部３１と情報記憶部３２とによる処理を行い、次の胸椎計測部分１３ｓの（４）−（５）間の計測作業の処理に移行する。
制御手段７は、頸椎計測部分１２ｓの計測作業の後に、胸椎計測部分１３ｓの（４）−（５）間の計測作業、次いで、腰椎計測部分１４ｓの（５）−（６）間の計測作業、そして、仙椎計測部分１５ｓの（６）−（７）間の計測作業を、順次に行う。
これら各計測部分１３ｓ〜１５ｓの計測作業は、以下のように行われる。なお、各計測部分１３ｓ〜１５ｓの計測作業は、頸椎計測部分１２ｓの（３）−（４）間の計測作業と同様に行われるので、詳細は前述の頸椎計測部分１２ｓの（３）−（４）間の計測作業を参照するものとする。
【００３５】
各計測部分１３ｓ〜１５ｓの計測作業は、計測指示部１９を押し操作することで、計測位置明示部２０の指示光を脊柱１１の中心線Ｃに照射しながら、計測手段６を脊柱１１の延びる方向に計測開始位置から計測終了位置まで一定速度で移動させ、胸椎計測部分１３ｓの（４）−（５）間の左側体表面温度Ｔｌ（１３ｓ）・右側体表面温度Ｔｒ（１３ｓ）を連続した計測し、次いで、腰椎計測部分１４ｓの（５）−（６）間の左側体表面温度Ｔｌ（１４ｓ）・右側体表面温度Ｔｒ（１４ｓ）を連続した計測し、そして、仙椎計測部分１５ｓの（６）−（７）間の左側体表面温度Ｔｌ（１５ｓ）・右側体表面温度Ｔｒ（１５ｓ）を連続して計測する。計測手段６を計測終了位置まで移動した場合は、計測指示部１９を放し操作することで計測を終了する。
計測手段６は、胸椎計測部分１３が計測されている間は計測状態表示部２１の第４表示部２１−４を点灯させ、腰椎椎計測部分１４が計測されている間は計測状態表示部２１の第５表示部２１−５を点灯させ、仙椎計測部分１５が計測されている間は計測状態表示部２１の第６表示部２１−６を点灯させる。
各計測部分１３ｓ〜１５ｓの計測においては、それぞれ、左側体表面を左側温度計測部１７の２つの左側温度計測部１７ａ及び左側温度計測部１７ｂで順次に計測して２つの左側計測値を得て、右側体表面を右側温度計測部１８の２つの右側温度計測部１８ａ及び右側温度計測部１８ｂで順次に計測して２つの右側計測値を得る。
各計測部分１３ｓ〜１５ｓの左側体表面及び右側体表面の計測においてそれぞれ得られた各２つの左側計測値・右側計測値は、温度計測処理部２２により平均化され、測定誤差を修正した各左側体表面温度Ｔｌ（１３ｓ）、Ｔｌ（１４ｓ）、Ｔｌ（１５ｓ）・各右側体表面温度Ｔｒ（１３ｓ）、Ｔｒ（１４ｓ）、Ｔｒ（１５ｓ）を得る。得られた各計測部分１３ｓ〜１５ｓの各左側体表面温度Ｔｌ（１３ｓ）、Ｔｌ（１４ｓ）、Ｔｌ（１５ｓ）・各右側体表面温度Ｔｒ（１３ｓ）、Ｔｒ（１４ｓ）、Ｔｒ（１５ｓ）は、制御手段７に出力される。
制御手段７は、計測指示部１９の押し操作・放し操作で出力される計測開始信号Ｓ１・計測終了信号Ｓ２の数によって、各計測部分１３ｓ〜１５ｓのいずれで計測作業が行われているかを認識する。また、制御手段７は、計測開始信号Ｓ１によって計測開始を認識し、計測終了信号Ｓ２によって計測終了を認識する。制御手段７は、計測終了を認識すると、演算処理部３１と情報記憶部３２とによる処理を行い、次の計測部分の計測作業の処理に移行する。
【００３６】
制御手段７は、演算処理部３１と情報記憶部３２とによる処理において、各計測部分１３ｓ〜１５ｓの各左側体表面温度Ｔｌ（１３ｓ）、Ｔｌ（１４ｓ）、Ｔｌ（１５ｓ）・各右側体表面温度Ｔｒ（１３ｓ）、Ｔｒ（１４ｓ）、Ｔｒ（１５ｓ）を体表面温度記憶部３９に記憶させ、また、計測指示部１９が出力する計測開始信号Ｓ１及び計測終了信号Ｓ２の数（４〜６）を計測指示信号記憶部４０に記憶させる。
制御手段７は、体表面温度記憶部３９に記憶させた胸椎計測部分１３ｓの左側体表面温度Ｔｌ（１３ｓ）・右側体表面温度Ｔｒ（１３ｓ）を温度差算出部３４により比較して温度差ＴΔ（１３ｓ）を算出し、腰椎計測部分１４ｓの左側体表面温度Ｔｌ（１４ｓ）・右側体表面温度Ｔｒ（１４ｓ）を温度差算出部３４により比較して温度差ＴΔ（１４ｓ）を算出し、仙椎計測部分１５ｓの左側体表面温度Ｔｌ（１５ｓ）・右側体表面温度Ｔｒ（１５ｓ）を温度差算出部３４により比較して温度差ＴΔ（１５ｓ）を算出し、算出された各温度差ＴΔ（１３ｓ）、ＴΔ（１４ｓ）、ＴΔ（１５ｓ）を温度差記憶部４１に記憶させる。
また、制御手段７は、各計測部分１３ｓ、１４ｓ、１５ｓの温度差ＴΔ（１３ｓ）、ＴΔ（１４ｓ）、ＴΔ（１５ｓ）を各計測部分１３ｓ、１４ｓ、１５ｓに存する各椎骨と関連付けた、温度差位置情報Ｉｔ（１３ｓ）、Ｉｔ（１４ｓ）、Ｉｔ（１５ｓ）を温度差位置情報生成部３５により生成し、温度差位置情報記憶部４２に記憶させる。
制御手段７は、各温度差位置情報Ｉｔ（１３ｓ）、Ｉｔ（１４ｓ）、Ｉｔ（１５ｓ）に基づいて、各温度差ＴΔ（１３ｓ）、ＴΔ（１４ｓ）、ＴΔ（１５ｓ）を、脊柱１１の各計測部分１３ｓ、１４ｓ、１５ｓに存する各椎骨と対応する位置であって、脊柱１１の左右方向中心（中心線Ｃ）に対して各左側体表面温度Ｔｌ（１３ｓ）、Ｔｌ（１４ｓ）、Ｔｌ（１５ｓ）・各右側体表面温度Ｔｒ（１３ｓ）、Ｔｒ（１４ｓ）、Ｔｒ（１５ｓ）の高い側に、各温度差ＴΔ（１３ｓ）、ＴΔ（１４ｓ）、ＴΔ（１５ｓ）の大きさに応じて中心線Ｃから離れる線で、図５に示す「計測作業実行」の画面Ｗ４の各計測部分１３ｓ、１４ｓ、１５ｓにそれぞれ表示させる。
【００３７】
なお、各計測部分１２ｓ〜１５ｓの計測は、やり直すことができる。制御手段７は、各計測部分１２ｓ〜１５ｓのいずれか、例えば、胸椎計測部分１３ｓの計測途中において、図５に示す「計測作業実行」の画面Ｗ４の胸椎計測部分１３ｓがクリックされると、「計測作業実行」の画面Ｗ４中に「計測やり直し」のダイアログボックスＤを表示させる。
制御手段７は、「計測やり直し」のダイアログボックスＤの「ＹＥＳ」ボタンＢ４がクリックされると、「計測やり直し」のダイアログボックスＤを閉じ、計測作業のやり直しを処理する。制御手段７は，「計測やり直し」のダイアログボックスＤの「ＮＯ」ボタンＢ５がクリックされると、「計測やり直し」のダイアログボックスＤを閉じ、計測作業の継続を処理する。
制御手段７は、計測のやり直しにおいて、胸椎計測部分１３ｓにおける計測指示部１９の押し操作による計測開始から胸椎計測部分１３ｓがクリックされるまでに得た左側体表面温度Ｔｌ（１３ｓ）・右側体表面温度Ｔｒ（１３ｓ）を破棄し、計測指示部１９の計測開始信号Ｓ１の数（４）を破棄し、頸椎計測部分１２ｓから胸椎計測部分１３ｓに計測作業を移行した状態、つまり、胸椎計測部分１３ｓを計測開始前の状態に戻す。
制御手段７は、計測開始前の状態に戻した胸椎計測部分１３ｓにおいて、計測指示部１９を押し操作した状態で、計測手段６を脊柱１１の延びる方向に一定速度で計測開始位置（４）から計測終了位置（５）まで移動させることで、新たに左側体表面温度Ｔｌ（１３ｓ）・右側体表面温度Ｔｒ（１３ｓ）を連続して計測する。計測手段６が計測終了位置（５）まで移動した場合は、計測指示部１９を放し操作することで計測を終了する。
【００３８】
制御手段７は、図５に示す「計測作業実行」の画面Ｗ４の「終了」ボタンＢ３がクリックされると、脊柱１１の各計測部分１２ｓ〜１５ｓの（１）〜（７）の計測作業を終了する。
制御手段７は、体表面温度記憶部３９に記憶させた、各計測部分１２ｓ、１３ｓ、１４ｓ、１５ｓの全てにおいて左側温度計測部１７・右側温度計測部１８が計測した各左側体表面温度Ｔｌ（１２ｓ）、Ｔｌ（１３ｓ）、Ｔｌ（１４ｓ）、Ｔｌ（１５ｓ）・各右側体表面温度Ｔｒ（１２ｓ）、Ｔｒ（１３ｓ）、Ｔｒ（１４ｓ）、Ｔｒ（１５ｓ）をそれぞれ計測を行った日時（計測日時）と関連付けた、計測履歴情報Ｉｄを計測履歴情報生成部３６により生成し、計測履歴情報記憶部４３に記憶させる。
また、制御手段７は、表示指令部３７によって、温度差位置情報生成部３５が生成した各温度差位置情報Ｉｔ（１２ｓ）、Ｉｔ（１３ｓ）、Ｉｔ（１４ｓ）、Ｉｔ（１５ｓ）に基づいて、温度差算出部３４が算出した各温度差ＴΔ（１２ｓ）、ＴΔ（１３ｓ）、ＴΔ（１４ｓ）、ＴΔ（１５ｓ）を、脊柱１１の延びる方向の各計測部分１２ｓ、１３ｓ、１４ｓ、１５ｓに存する各椎骨と対応する位置であって、脊柱１１の中心線Ｃに対して各左側体表面温度Ｔｌ（１２ｓ）、Ｔｌ（１３ｓ）、Ｔｌ（１４ｓ）、Ｔｌ（１５ｓ）・各右側体表面温度Ｔｒ（１２ｓ）、Ｔｒ（１３ｓ）、Ｔｒ（１４ｓ）、Ｔｒ（１５ｓ）の高い側に、各温度差ＴΔ（１２ｓ）、ＴΔ（１３ｓ）、ＴΔ（１４ｓ）、ＴΔ（１５ｓ）の大きさに応じて中心線Ｃから離れる線で、「計測作業実行」の画面Ｗ４の各計測部分１２ｓ、１３ｓ、１４ｓ、１５ｓにそれぞれ表示させる。
制御手段７は、図５に示す「計測作業実行」の画面Ｗ４において、左側体表面温度Ｔｌが右側体表面温度Ｔｒよりも高い場合（Ｔｌ＞Ｔｒ）、温度差ＴΔを脊柱１１の中心線Ｃに対して左側に表示させる。また、制御手段７は、左側体表面温度Ｔｌよりも右側体表面温度Ｔｒが高い場合（Ｔｌ＜Ｔｒ）、温度差ＴΔを脊柱１１の中心線Ｃに対して右側に表示させる。そして、制御手段７は、左側体表面温度Ｔｌと右側体表面温度Ｔｒとが等しい場合（Ｔｌ＝Ｔｒ）、温度差ＴΔを脊柱１１の中心線Ｃ上に表示させる。
これにより、計測作業者は、脊椎動物１の体表面温度について、脊柱１１の中心線Ｃを挟んで右側体表面温度Ｔｒが高いのか、左側体表面温度Ｔｌが高いのか、また、温度差ＴΔがどのくらい大きいかを、容易に観察することができる。
【００３９】
脊柱１１の左側体表面温度Ｔｌ・右側体表面温度Ｔｒの温度差ＴΔからは、脊椎動物１の自律神経の活動状態を知ることができる。脊椎動物１の脊柱１１の左側体表面温度Ｔｌ・右側体表面温度Ｔｒは、同じ神経で支配されている。神経が正常に機能していれば、左側体表面温度Ｔｌ・右側体表面温度Ｔｒの温度差ＴΔは小さくなり、線が脊柱１１の中心線Ｃに近づく。
左右両側部位の各側体表面に挟まれる脊柱１１は、左側体表面温度Ｔｌ・右側体表面温度Ｔｒの温度差ＴΔの大きさに比例して、捩じれやずれが存在する。この捩じれやずれは、神経機能を阻害している可能性が高い。また、脊柱１１の左右両側部位の各側体表温度を統率している神経は、根本では筋肉を動かす神経と内臓を動かす神経とで連絡している。
これより、脊柱１１の左側体表面温度Ｔｌ・右側体表面温度Ｔｒの温度差ＴΔは、神経機能の異常に起因する、筋肉の機能と内蔵の機能の異常を間接的に示す指標となる。このため、脊柱１１を整体等で調節して椎骨の捩じれやずれを解消し、温度差ＴΔが大きい部分の左側体表面温度Ｔｌ・右側体表面温度Ｔｒを均衡にすることで、言い換えると温度差ＴΔを表す線が脊柱１１の中心線Ｃに近づくように温度差ＴΔを小さくすることで、神経の情報伝達の乱れを無くし、筋肉の機能と内臓の機能を正常にすることができる。
図５に示す「計測作業実行」の画面Ｗ４においては、胸椎１３の下方の椎骨部分の温度差ＴΔ１３ｓが他の椎骨部分よりも大きくなっているので、胸椎１３の下方の椎骨部分に捩じれやずれ等が存在することを感知することができる。この胸椎１３の下方の椎骨部分を整体等で調節して捩じれやずれを解消し、脊柱１１の中心線Ｃに近づけるように温度差ＴΔ１３ｓを小さく（例えば、０．２度）以内にすることで、神経の情報伝達の乱れを無くし、筋肉の機能と内蔵の機能を正常にすることができる。
なお、脊柱１１の左側体表面温度Ｔｌ・右側体表面温度Ｔｒの温度差ＴΔについては、米国ジョンズ・ホプキンス大学、Ｄｒ．Ｕｅｍａｔｓｕの論文により、健康な人は脊柱１１の左側体表面温度Ｔｌ・右側体表面温度Ｔｒの温度差が０．２度以内であることが発表されている。
【００４０】
このように、脊椎動物１の健康状態検出制御装置５は、脊柱１１を各計測部分１２ｓ〜１５ｓに分けて計測した左側体表面温度Ｔｌ（１２ｓ）〜Ｔｌ（１５ｓ）・右側体表面温度Ｔｒ（１２ｓ）〜Ｔｒ（１５ｓ）を比較して温度差ＴΔ（１２ｓ）〜ＴΔ（１５ｓ）を算出し、算出した温度差ＴΔ（１２ｓ）〜ＴΔ（１５ｓ）を脊柱１１の各計測部分１２ｓ〜１５ｓに存する各椎骨と関連付けた温度差位置情報Ｉｔ（１２ｓ）〜Ｉｔ（１５ｓ）を生成し、温度差位置情報Ｉｔ（１２ｓ）〜Ｉｔ（１５ｓ）に基づいて、各温度差ＴΔ（１２ｓ）〜ＴΔ（１５ｓ）を、脊柱１１の各計測部分１２ｓ〜１５ｓに存する各椎骨と対応する位置であって、脊柱１１の中心線Ｃに対して左側体表面温度Ｔｌ（１２ｓ）〜Ｔｌ（１５ｓ）・右側体表面温度Ｔｒ（１２ｓ）〜Ｔｒ（１５ｓ）の高い側に、各温度差ＴΔ（１２ｓ）〜ＴΔ（１５ｓ）の大きさに応じて離れる曲線のグラフ形状で、図５の「計測作業実行」の画面Ｗ４に表示させる。
表示された脊柱１１の左側体表面温度Ｔｌ（１２ｓ）〜Ｔｌ（１５ｓ）・右側体表面温度Ｔｒ（１２ｓ）〜Ｔｒ（１５ｓ）の温度差ＴΔ（１２ｓ）〜ＴΔ（１５ｓ）は、脊椎動物１の健康状態を示す指標として観察することで、つまり温度差ＴΔ（１２ｓ）〜ＴΔ（１５ｓ）を表す線が脊柱１１の中心線Ｃから大きく離れる箇所（図５の画面Ｗ４の、胸椎１３の下方の温度差ＴΔ１３ｓが大きい椎骨部分）を観察することで、不健康な状態である箇所（患部）に関連する神経が通る椎骨であって歪み・ずれのある椎骨を見つけ出すことができ、健康状態を判断することができる。
これにより、脊椎動物１の健康状態検出制御装置５は、温度差ＴΔ（１２ｓ）〜ＴΔ（１５ｓ）から見つけた歪み・ずれのある椎骨に整体、マッサージ等を施して椎骨を正常な位置に戻すことで、神経の情報伝達の乱れを解消することができるため、この神経が統率する内臓や筋肉の活動を正して、脊柱１１の左側体表面温度Ｔｌ（１２ｓ）〜Ｔｌ（１５ｓ）・右側体表面温度Ｔｒ（１２ｓ）〜Ｔｒ（１５ｓ）の温度差ＴΔ（１２ｓ）〜ＴΔ（１５ｓ）を均衡にすることができ、脊椎動物１の健康状態を改善して病気やけがを予防することができる。
【００４１】
健康状態検出制御装置５は、制御手段７によって、図５に示す「計測作業実行」の画面Ｗ４において、メニューバーＭ１右端の「最小化」ボタン（＿）がクリックされると、図３に示す「トップページ」の画面Ｗ１を表示手段８に表示させる。
制御手段７は、「トップページ」の画面Ｗ１の「計測履歴」ボタンＢ６がクリックされると、図６に示す「計測履歴」の画面Ｗ５を表示手段８に表示させる。「計測履歴」の画面Ｗ５には、過去の計測結果がリストボックスＬに日時順にスクロール形式で表示される。
制御手段７は、「計測履歴」の画面Ｗ５において、「カルテに戻る」ボタンＢ７がクリックされると、図３の「トップページ」の画面Ｗ１を表示させる。制御手段７は、「計測履歴」の画面Ｗ５において、リストボックスＬに表示される過去の計測結果の日時のいずれかがクリックされると、図７に示す「計測結果比較」の画面Ｗ６を表示させる。
制御手段７は、脊柱１１の各計測部分１２ｓ〜１５ｓにおいて左側温度計測部１７・右側温度計測部１８が計測した各左側体表面温度Ｔｌ（１２ｓ）〜Ｔｌ（１５ｓ）・各右側体表面温度Ｔｒ（１２ｓ）〜Ｔｒ（１５ｓ）を計測を行った日時（計測日時）と関連付けた、計測履歴情報Ｉｄを計測履歴情報生成部３６により生成し、計測履歴情報記憶部４３に記憶させている。
制御手段７は、表示指令部３７によって、計測履歴情報生成部３６が生成した計測履歴情報Ｉｄに基づいて、左側温度計測部１７・右側温度計測部１８が計測した脊柱１１の各左側体表面温度Ｔｌ（１２ｓ）〜Ｔｌ（１５ｓ）・各右側体表面温度Ｔｒ（１２ｓ）〜Ｔｒ（１５ｓ）の計測日時毎の複数の「計測結果」の画面（Ｗ７−１〜Ｗ７−４）を並べて「計測結果比較」の画面Ｗ６に表示させる。
「計測結果比較」の画面Ｗ６には、最大で４つの「計測結果」の画面（Ｗ７−１〜Ｗ７−４）を自動整列で表示させることができる。図７においては、２つの「計測結果日時」の画面Ｗ７−１、Ｗ７−２が表示されている。
これにより、健康状態検出制御装置５は、過去の「計測結果」と比較して患者である脊椎動物１の健康状態の変化を観察することができるため、脊椎動物１の健康状態を改善して病気やけがを予防することができる。
【００４２】
制御手段７は、図７に示す「計測結果比較」の画面Ｗ６において、「計測結果」の画面Ｗ７−１、Ｗ７−２（あるいは、Ｗ７−３、Ｗ７−４）がクリックされると、図８に示す「自律神経説明」の画面Ｗ８を表示手段８に表示させる。
これにより、健康状態検出制御装置５は、「自律神経説明」の画面Ｗ８によって、患者の脊椎動物１の自律神経を飼い主に説明することができるため、脊椎動物１の健康状態を飼い主に確実に把握させることができる。
「自律神経説明」の画面Ｗ８は、「計測結果比較」の画面Ｗ６と別画面なので拡大・縮小でき、メニューバーＭ１右端の「閉じる」ボタン（×）をクリックすることで閉じることができる。「自律神経説明」の画面Ｗ８は、クリックすることで神経４を点滅させることができ、「戻る」ボタン（Ｂ８）をクリックすることで前画面の「計測結果比較」の画面Ｗ６に戻ることができる。
制御手段７は、図３に示す「トップページ」の画面Ｗ１において、メニューバーＭ１右端の「閉じる」ボタン（×）がクリックされると、「トップページ」の画面Ｗ１を閉じ、健康状態検出制御のプログラムを終了させる。
なお、上述実施例においては、２つの左側温度計測部１７ａ及び左側温度計測部１７ｂからなる左側温度計測部１７と、２つの右側温度計測部１８ａ及び右側温度計測部１８ｂからなる右側温度計測部１８とを用いたが、それぞれ１つの左側温度計測部１７・右側温度計測部１８とすることもできる。また、脊椎動物１として犬・猫を例示したが、猿や狸等についても適用が可能である。さらに、図示しないが、脊椎動物１である人間についても適用が可能である。
【００４３】
上述実施例の計測作業においては、脊柱１１を各計測部分１２ｓ〜１５ｓに分けて計測した左側体表面温度Ｔｌ（１２ｓ）〜Ｔｌ（１５ｓ）・右側体表面温度Ｔｒ（１２ｓ）〜Ｔｒ（１５ｓ）の温度差ＴΔ（１２ｓ）〜ＴΔ（１５ｓ）を、各椎骨に対応する位置であって、脊柱１１の中心線Ｃに対して左側体表面温度Ｔｌ（１２ｓ）〜Ｔｌ（１５ｓ）・右側体表面温度Ｔｒ（１２ｓ）〜Ｔｒ（１５ｓ）の高い側に、温度差ＴΔ（１２ｓ）〜ＴΔ（１５ｓ）の大きさに応じて中心線Ｃから離れる線で表示させたが、図９に示すように表示することもできる。
【００４４】
図９に示す「計測作業実行」の画面Ｗ９には、左側体表面温度Ｔｌ・右側体表面温度Ｔｒを計測した時点における温度差ＴΔ（ｐ）を、温度差ＴΔ（ｐ）の大きさに応じて傾く角度で表示する計器形状の温度差角度表示部４５を配置している。また、画面Ｗ９には、計測作業を開始する「スタート」ボタンＢ９を配置している。
温度差角度表示部４５は、目盛り線４６と指針４７とからなる。目盛り線４６は、脊柱１１の中心線Ｃを仮想して上下方向に延びる仮想線Ｖ上の中心点４８を中心とする半円周線からなる。目盛り線４６には、仮想線Ｖと交差する「０」点から左右方向に離れるほど大きな角度を示す左側温度差目盛り４９ｌ・右側温度差目盛り４９ｒを付している。指針４７は、仮想線Ｖ上の中心点４８を中心に、温度差ＴΔ（ｐ）の大きさに応じて先端を目盛り線４６に沿って左右方向に回動される。指針４７は、回動により左側温度差目盛り４９ｌ・右側温度差目盛り４９ｒを指し示すことで、計測作業者に現在の温度差ＴΔ（ｐ）を通知する。
【００４５】
図９に示す「計測作業実行」の画面Ｗ９において、制御手段７は、左側温度計測部１７・右側温度計測部１８により脊柱１１の左側体表面温度Ｔｌ・右側体表面温度Ｔｒを計測する場合に、計測作業処理部３３によって、脊柱１１の頸椎１２から仙椎１５までの計測部分において、計測手段６の計測指示部１９が出力する計測開始信号Ｓ１及び計測終了信号Ｓ２に基づき、計測手段６の左側温度計測部１７・右側温度計測部１８が行う計測作業の手順を処理する。
計測手段６は、脊柱１１の頸椎１２から仙椎１５までの計測部分の計測作業において、「計測作業実行」の画面Ｗ９の「スタート」ボタンＢ９をクリックしてから、計測位置明示部２０を計測開始位置である頸椎１２最上部の中心線Ｃに向け、計測指示部１９を押し操作（計測開始信号Ｓ１の出力）して左側温度計測部１７・右側温度計測部１８による左側体表面温度Ｔｌ・右側体表面温度Ｔｒの計測を開始する。
計測手段６は、計測指示部１９を押し操作した状態で計測位置明示部２０の指示光を脊柱１１の中心線Ｃに照射しながら脊柱１１の延びる方向の計測終了位置に向かい一定速度で移動させて、左側体表面温度Ｔｌ・右側体表面温度Ｔｒの計測を連続して行う。
計測手段６が計測終了位置である仙椎１５最下部に達した場合は、計測指示部１９を放し操作（計測終了信号Ｓ２の出力）し、左側体表面温度Ｔｌ・右側体表面温度Ｔｒの計測を終了する。
【００４６】
計測手段６を脊柱１１の延びる方向に移動させる間に連続して計測する左側体表面温度Ｔｌ・右側体表面温度Ｔｒは、計測と同時に制御手段７に入力される。
制御手段７は、入力された左側体表面温度Ｔｌ・右側体表面温度Ｔｒを直ちに温度差算出部３４により比較して温度差算出の処理を行い、左側温度計測部１７・右側温度計測部１８が計測した時点における脊椎動物１の健康状態を示す指標としての温度差ＴΔ（ｐ）を算出する。
制御手段７は、温度差算出部３４により算出された、左側温度計測部１７・右側温度計測部１８が計測した時点における温度差ＴΔ（ｐ）を、温度差角度表示部４５の指針４７を「０」点から左右方向に回動させて、目盛り線４６の左側温度差目盛り４９ｌ・右側温度差目盛り４９ｒのいずれかを指し示すことで、角度で表示させる。
これにより、制御手段７は、左側温度計測部１７・右側温度計測部１８により脊柱１１の頸椎１２から仙椎１５までの左側体表面温度Ｔｌ・右側体表面温度Ｔｒを連続して計測する場合に、左側温度計測部１７・右側温度計測部１８が計測した時点における温度差ＴΔ（ｐ）を、脊柱１１の中心線Ｃに対して左側体表面温度Ｔｌ・右側体表面温度Ｔｒの高い側に、温度差ＴΔ（ｐ）の大きさに応じて中心線Ｃから傾く角度で、表示指令部３７により表示手段８の温度差角度表示部４５に表示させる。
計測作業者は、温度差角度表示部４５に表示される角度の傾きから、左側温度計測部１７・右側温度計測部１８が計測した時点における温度差ＴΔ（ｐ）を、タイムリーに観察することができる。
【００４７】
「計測作業実行」の画面Ｗ９において、傾いた指針４７が指し示す左側温度差目盛り４９ｌ、あるいは右側温度差目盛り４９ｒの角度は、計測手段６を脊椎１１のある椎骨に向けて、その椎骨の左側体表面温度Ｔｌ・右側体表面温度Ｔｒを左側温度計測部１７・右側温度計測部１８により計測した時点における温度差ＴΔ（ｐ）を示しており、温度差ＴΔの大きさに応じて、捩じれやずれが存在する椎骨を示す指標となる。
脊柱１１の中心線Ｃに対して指針４７が大きく振れ、温度差ＴΔ（ｐ）が大きい箇所を観察することで、不健康な状態である箇所（患部）に関連する神経が通る椎骨であって歪み・ずれのある椎骨を見つけ出すことができ、健康状態を判断することができる。
これにより、脊椎動物１の健康状態検出制御装置５は、温度差ＴΔ（ｐ）から見つけた歪み・ずれのある椎骨に整体、マッサージ等を施して椎骨を正常な位置に戻すことで、神経の情報伝達の乱れを解消することができるため、この神経が統率する内臓や筋肉の活動を正して、脊柱１１の左側体表面温度Ｔｌ・右側体表面温度Ｔｒの温度差ＴΔ（ｐ）を均衡にすることができ、脊椎動物１の健康状態を改善して病気やけがを予防することができる。
【産業上の利用可能性】
【００４８】
この発明は、脊柱を挟む左側体表面温度・右側体表面温度の温度差によって脊椎動物の健康状態を判断することができ、脊椎動物の健康状態を改善して病気やけがを予防することができるものであり、犬、猫などの種類ごとに測定した各側体表面温度のデータを蓄積してパターン化することで、動物の種類ごとに将来どのような病気になりやすいかを判断するビッグデータを得ることができる。
【符号の説明】
【００４９】
１  脊椎動物
３  脊髄
５  健康状態検出制御装置
６  計測手段
６Ｍ  温度計測具
７  制御手段
８  表示手段
９  入力手段
１０  印刷手段
１１  脊柱
１２  頸椎
１３  胸椎
１４  腰椎
１５  仙椎
１６  尾骨
１７  左側温度計測部
１８  右側温度計測部
１９  計測支持部
２０  計測位置明示部
２１  計測状態表示部
２２  温度計測処理部
２３  本体部
２４  持ち手部
２６  調整具
３１  演算処理部
３２  情報記憶部
３３  計測作業処理部
３４  温度差算出部
３５  温度差位置情報生成部
３６  計測履歴情報生成部
３７  表示指令部
３８  印刷指令部
３９  体表面温度記憶部
４０  計測指示信号記憶部
４１  温度差記憶部
４２  温度差位置情報記憶部
４３  計測履歴情報記憶
【図１】
2019054741.tif 000003
【図２】
2019054741.tif 000004
【図３】
2019054741.tif 000005
【図４】
2019054741.tif 000006
【図５】
2019054741.tif 000007
【図６】
2019054741.tif 000008
【図７】
2019054741.tif 000009
【図８】
2019054741.tif 000010
【図９】
2019054741.tif 000011